(57)【要約】      （修正有）【課題】照明位置はより確実に定位され、均一な照射効果を達成することができる移動可能ランプを備えるカーテンを提供する。【解決手段】移動可能ランプを備えるカーテン３は、カーテン３内に発光装置３５と距離部品３６を設置し、発光装置３５はカーテン３の各移動部品３３にそれぞれ設置するランプ３５１を備える。各ランプ３５１は移動部品３３上の連結部３３３を通して外へと光を透過し、各ランプ３５１は、各移動部品３３の移動を受け同期して移動する。こうしてカーテン３の開閉動作を達成し、カーテン３を展開すると、各移動部品３３は距離部品３６の制限を受け、カーテン３の枠フレーム３１各位置で定点定位する。よって同期移動の各ランプ３５１は確実に光線を均一に照射でき、照明効果を高めることができ、しかも各ランプ３５１はナイトライトとして運用することもできるため、使用の利便性を拡大することができる。【選択図】図３
0003174041.tif 000002
【実用新案登録請求の範囲】
【請求項１】
移動可能ランプを備えるカーテン枠は、枠フレーム、前記枠フレーム内に設置する伝動部品、前記伝動部品の連動を受ける少なくとも１個の移動部品、前記移動部品上に設置する遮断部品を備え、
前記各移動部品は、前記枠フレーム内において移動し、しかも凹槽を開設する本体、及び前記凹槽位置から外へと延伸し、しかも光透過状を呈する連結部を備え、
前記枠フレーム内には、発光装置、距離部品を設置し、
前記距離部品は、前記各移動部品を等距離に移動させることができ、
前記発光装置は、前記各移動部品の凹槽内にそれぞれ設置するランプ、前記各ランプ上に連接し、しかも電力の伝送を行う電線を備え、
前記各ランプは、前記連結部を通して外へと光を透過し、前記各移動部品と同期に移動し、
同時に、前記各移動部品は、前記距離部品の等距離制限を受け、前記枠フレームの各位置に定点定位することを特徴とする移動可能ランプを備えるカーテン。
【請求項２】
請求項１記載の移動可能ランプを備えるカーテンにおいて、前記２個の移動部品間に、補助部品を設置し、
前記補助部品は、前記遮断部品と連結せず、前記枠フレーム内で移動し、しかも定位槽を開設する主体、及び前記定位槽位置より外へと延伸し、光透過状を呈する接合部を備え、
前記定位槽内には、ランプを設置することを特徴とする、移動可能ランプを備えるカーテン。
【請求項３】
請求項１或いは２記載の移動可能ランプを備えるカーテンにおいて、前記連結部は、光透過状を呈し、しかも前記連結部上には、フックを形成し、これに前記遮断部品を掛けることを特徴とする、移動可能ランプを備えるカーテン。
【請求項４】
請求項１或いは２記載の移動可能ランプを備えるカーテンにおいて、前記連結部は、光透過状を呈し、しかも前記連結部上には、クリップを形成し、前記クリップを利用し、前記遮断部品を挟持して固定することを特徴とする、移動可能ランプを備えるカーテン。
【請求項５】
請求項２記載の移動可能ランプを備えるカーテンにおいて、前記遮断部品は、フレーム体、及び前記フレーム体上に環状に設置するカーテン体を備え、
前記フレーム体は、同時に、前記２個の移動部品に挟持され、これにより前記フレーム体が展開する時、前記補助部品は、ちょうど前記カーテン体の中央位置に位置することを特徴とする、移動可能ランプを備えるカーテン。
【考案の詳細な説明】
【技術分野】
【０００１】
本考案はカーテンに関し、特に移動可能ランプを備えるカーテンに関する。
【背景技術】
【０００２】
図１に示すように、従来のランプを備えるカーテン１は、枠フレーム１１、枠フレーム１１上に間隔を開けて設置する複数のランプ１２、枠フレーム１１上に設置する伝動部品１３、伝動部品１３の連動を受ける少なくとも１個の移動部品１４、移動部品１４上に設置する遮断部品１５を備える。
【０００３】
伝動部品１３は、ボールチェーンで、その上を移動部品１４が移動する。遮断部品１５は、可動枠フレーム１５１、可動枠フレーム１５１上に設置するカーテン端１５２を備える。可動枠フレーム１５１は、２個の移動部品１４に挟持され、各移動部品１４の牽引を受け、閉じたり開いたりの作動を行う。
【０００４】
カーテン１の使用時には、完全に伝動部品１３を手で引っ張る方式を利用し、各移動部品１４は各伝動部品１３に連動され移動し、同時に、遮断部品１５を連動し、展開作業を行う。また、移動部品１４は、遮断部品１５の展開を連動する時には、移動部品１４の等距離移動を利用し、可動枠フレーム１５１は移動部品１４の連動を受け、展開する。これにより、移動部品１４は、遮断部品１５を等距離に連動し順番に定位し、こうして遮断部品１５の展開状態を達成する。この時、ランプ１２は、遮断部品１５へと光線を照射し、照明の目的を達成する。
【０００５】
しかし、実際の使用により、以下の欠点があることが発見された。ランプ１２は、枠フレーム１１内に設置され、カーテン１は人力により引っ張り、伝動部品１３を動かすため、移動部品１４は移動の誤差を生じ易く、移動部品１４を確実に定位できないという状況も発生し易い。これにより、遮断部品１５の展開作業に影響を及ぼし、遮断部品１５を、停止させたい位置に確実に移動させ定位させることができない。この状況では、ランプ１２が遮断部品１５に照射する時には、光源の偏り現象が起こり易く(図２参照)、局部だけが照明を受けられるということになる。すなわち、ランプ１２は、均一な照射ができず、しかも全体的な視覚効果も美しくなく、照明効果に大きく影響を及ぼしてしまう。
【考案の概要】
【考案が解決しようとする課題】
【０００６】
本考案の目的は、ランプの同期移動、定点照明を利用し、ランプの照明位置はより確実に定位され、均一な照射効果を達成することができる移動可能ランプを備えるカーテンを提供することである。
【課題を解決するための手段】
【０００７】
上記課題を解決するため、本考案は下記の移動可能ランプを備えるカーテンを提供する。
移動可能ランプを備えるカーテンは、枠フレーム、伝動部品、移動部品、遮断部品を備え、
該枠フレーム内には、発光装置、距離部品を設置し、該距離部品は、該各移動部品の等距離移動を連動でき、該発光装置は、該各移動部品の凹槽内にそれぞれ設置するランプ、該各ランプ上に連接し、しかも電力の伝送を行う電線を備え、該各ランプは、該移動部品の連結部を通して外へと光を透過し、しかも該各移動部品の移動を受けて同期に移動し、同時に、該各移動部品は、該距離部品の等距離制限を受け、該枠フレームの各位置に定点定位し、該各ランプは、該移動部品上に設置し、該移動部品が移動すると、該各ランプを同期に連動し、しかも移動時には、該ランプは、均一な光線照明を提供し、該ランプの照明効果を効果的に高め、しかも各ランプはナイトライトとして運用することもできるため、使用の利便性を拡大することができる。
【考案の効果】
【０００８】
本考案の移動可能ランプを備えるカーテンは、発光装置と距離部品を枠フレーム内に設置することで、発光装置のランプは、カーテンの各移動部品の移動を受け、同期に移動し、しかも照明を発し、移動部品と遮断部品は、距離部品の等距離制限を受け、枠フレームの各位置に定位され、しかも遮断部品の定位後は、ランプは、遮断部品が対応する位置まで移動し、光線を照射し、これにより照射光線は遮断部品上に均一に分散し、こうしてカーテン全体が美観を備え、ランプの照明効果を高めることができ、しかも各ランプはナイトライトとしても運用でき、使用の利便性を増強することができる。
【図面の簡単な説明】
【０００９】
【図１】従来のカーテンの立体模式図である。
【図２】従来のカーテンの動作模式図である。
【図３】本考案第一実施例の立体模式図である。
【図４】本考案第一実施例の別種の立体模式図である。
【図５】本考案第一実施例の局部構成部材の断面模式図である。
【図６】本考案第二実施例の立体模式図である。
【図７】本考案第二実施例の別種の立体模式図である。
【考案を実施するための形態】
【００１０】
図３に示すように、本考案第一実施例の移動可能ランプを備えるカーテン３は、枠フレーム３１、枠フレーム３１内に設置する伝動部品３２、伝動部品３２の連動を受ける少なくとも１個の移動部品３３、移動部品３３上に設置する遮断部品３４を備える。
【００１１】
伝動部品３２は、本実施例中では、駆動源３７を連接し、伝動部品３２の動きを連動することができる。伝動部品３２は、伝動ベルト、或いはウォームギアなどで、伝動効果を備える部品である。図は、ウォームギアを例とする。
【００１２】
各移動部品３３は、枠フレーム３１内において移動し、しかも凹槽３３２を開設する本体３３１、及び凹槽３３２位置から外へと延伸し、しかも光透過状を呈する連結部３３３を備える。連結部３３３上には、フック３３４を形成し、これに遮断部品３４を掛ける。また、図４に示すように、連結部３３３上には、クリップ３３５を形成し、これにより遮断部品３４を挟持して固定する。
【００１３】
本実施例中では、図３のフック３３４を例として説明する。遮断部品３４の展開方式は、限定されず、しかも遮断部品３４は、直立式カーテン、或いは遮光カーテンなどである。図は、直立式カーテンを表示する。直立式カーテンは、それぞれ伝動部品３２と移動部品３３の連動を受けて遮蔽、開放、或いは違った角度にスイングする。
【００１４】
枠フレーム３１内には、発光装置３５、距離部品３６を設置する。距離部品３６は、ボールチェーン方式、或いは図示の実施例のように、複数の板状体設計などであるが、何れにしても、距離部品は、各移動部品３３を等距離に移動させることができる。発光装置３５は、各移動部品３３の凹槽３３２内にそれぞれ設置するランプ３５１、各ランプ３５１上に連接し、しかも電力の伝送を行う電線３５２を備える。各ランプ３５１は、連結部３３３を通して外へと光を透過する他、各ランプ３５１は、各移動部品３３の連動を同期に受けて移動する。同時に、各移動部品３３は、距離部品３６の等距離制限を受け、枠フレーム３１の各位置に定点定位する。
【００１５】
図３、５に示すように、使用時には、駆動源３７の駆動を制限できるリモコン(図示なし)を利用し、駆動源３７に伝動部品３２の動きを連動させる。こうして、各移動部品３３と遮断部品３４のカーテンに影響を与え、スライド移動させる。これにより、カーテン３は正常に遮蔽、開放が行われ、或いは違った角度で揺れる。上記した作動は、使用者の必要に応じて決定する。各移動部品３３が伝動部品３２の連動を受けると、各移動部品３３上に設置する各距離部品３６は、各移動部品３３を同期に制限し、同等距離の移動を行わせる。この時、各ランプ３５１も同期に移動し、しかも連結部３３３を通して外部へと照射する。つまり、ある距離部品３６が予定の位置限定に到達すると、次の距離部品３６を順番に連動し、これにより各移動部品３３もそれに従い移動する。よって、移動部品３３と遮断部品３４は、枠フレーム３１の各位置において、順番確実に定点定位される。さらに、移動部品３３内にそれぞれ設置するランプ３５１、ランプ３５１と連接する電線３５２、移動部品３３上に掛ける遮断部品は、移動部品３３の移動に従い同期に牽引される。よって、ランプ３５１の照明光線は、遮断部品３４上に効果的、かつ均一に照射される。こうして、照明効果を高め、カーテンの定位が不確実であるため、ランプの照明が偏り易いという従来構造の問題、及びランプ３５１の固定設置により、均一照射に不利であるという欠点を効果的に改善することができ、カーテン３全体は、美しい外観を呈することができる。各ランプ３５１をナイトライトとして運用すれば、使用の利便性をさらに増進することができる。
【００１６】
図６に示すように、本考案第二実施例は、枠フレーム３１、伝動部品３２、移動部品３３、遮断部品３４、発光装置３５、距離部品３６を備える。２個の移動部品３３間に、補助部品３８を設置する。補助部品３８は、遮断部品３４と連結せず、しかも補助部品３８は、枠フレーム３１内で移動し、しかも定位槽３８２を開設する主体３８１、及び定位槽３８２位置より外へと延伸し、光透過状を呈する接合部３８３を備える。定位槽３８２内には、ランプ３５１を設置する。図７は、補助部品３８のランプ３５１が照明を呈する形態のみを示す。本実施例は、図７の状態を例として説明する。
【００１７】
上記したように、遮断部品３４は、フレーム体３４１、及びフレーム体３４１上に環状に設置するカーテン体３４２を備える。フレーム体３４１は、同時に、２個の移動部品に挟持され、これによりフレーム体３４１が展開する時、補助部品３８は、ちょうどカーテン体３４２の中央位置に位置する。各移動部品３３間には、補助部品３８を増設するため、遮断部品３４は、作動過程において、同様に、距離部品３６により等距離で移動部品３３を連動する。これにより、電線３５２を牽引し、こうして各ランプ３５１は同期に移動かつ照明を発する。遮断部品３４が、各移動部品３３の連動を受け定位すると、フレーム体３４１は、展開状態を呈し、同時に補助部品３８上のランプ３５１は確実に定位される。しかも、ランプ３５１の照明光線は、ちょうど下方へと、対応するカーテン体３４２の中央位置へ均一に照射される。こうして、カーテン３は、光線照射が備えるべき美観と効果を実現することができる。
【符号の説明】
【００１８】
３  カーテン
３１  枠フレーム
３２  伝動部品
３３  移動部品
３４  遮断部品
３５  発光装置
３６  距離部品
３７  駆動源
３８  補助部品
３３１  本体
３３２  凹槽
３３３  連結部
３３４  フック
３３５  クリップ
３４１  フレーム体
３４２  カーテン体
３５２  電線
３５１  ランプ
３８１  主体
３８２  定位槽
３８３  接合部
【図１】
0003174041.tif 000003
【図２】
0003174041.tif 000004
【図３】
0003174041.tif 000005
【図４】
0003174041.tif 000006
【図５】
0003174041.tif 000007
【図６】
0003174041.tif 000008
【図７】
0003174041.tif 000009